(57)【要約】【課題】  水の掛かる場所に設置される照明装置のコストダウンと施工性の向上。【解決手段】  照明本体１と、取付け台座２と、装飾具３とを備え、照明本体１は、内部に光源４を配置した防水処理されたユニットであり、取付け台座２に取付けてあり、装飾具３は、取付け台座２に取付けて照明本体１を装飾するものである。【選択図】      図１
2011222282.tif 000002
【特許請求の範囲】
【請求項１】
照明本体と、取付け台座と、装飾具とを備え、照明本体は、内部に光源を配置した防水処理されたユニットであり、取付け台座に取付けてあり、装飾具は、取付け台座に取付けて照明本体を装飾するものであることを特徴とする照明装置。
【発明の詳細な説明】
【技術分野】
【０００１】
本発明は、屋外や浴室などの水の掛かる場所に設置される照明装置に関する。
【背景技術】
【０００２】
従来、屋外や浴室などの水の掛かる場所に設置される照明装置は、電球を着脱自在に取付けるためのソケットが台座上に取付けられ、電球及びソケットを囲むように半透明ないし透明な樹脂で形成した防水カバーを設け、さらに防水カバーを囲むようにアルミ鋳物等で形成した装飾具を設けている。防水カバーは、電球やソケットに水が掛かるのを防ぐために、台座との取付部をシールしていた（例えば、特許文献１参照）。
かかる照明装置は、設置する場所や設置する人の多様な好みに対応するために、様々なデザインの装飾具を有するものが用意されており、それぞれの装飾具ごとにその装飾具にすっきり納まる防水カバーを個々に製作していたため、コスト高になっていた。また、防水カバーと台座との隙間をシールしなければならないため、照明装置の設置に手間が掛かっていた。
【先行技術文献】
【特許文献】
【０００３】
【特許文献１】特開平８−２０３３１３号公報
【発明の概要】
【発明が解決しようとする課題】
【０００４】
本発明は以上に述べた実情に鑑み、水の掛かる場所に設置される照明装置のコストダウンと施工性の向上を目的とする。
【課題を解決するための手段】
【０００５】
上記の課題を達成するために請求項１記載の発明による照明装置は、照明本体と、取付け台座と、装飾具とを備え、照明本体は、内部に光源を配置した防水処理されたユニットであり、取付け台座に取付けてあり、装飾具は、取付け台座に取付けて照明本体を装飾するものであることを特徴とする。
【発明の効果】
【０００６】
請求項１記載の発明による照明装置は、照明本体が防水処理されたユニットなので、照明本体の周囲に防水処理を施す必要がなく、様々なデザインの装飾具に対して照明本体及び取付け台座を兼用することでコストダウンが図れると共に、施工性を向上できる。
【図面の簡単な説明】
【０００７】
【図１】（ａ）は本発明の照明装置の第１実施形態を示す平面図であり、（ｂ）は（ａ）のＡ−Ａ断面図である。
【図２】第１実施形態の照明装置の斜視図である。
【図３】第１実施形態の照明装置の分解斜視図である。
【図４】本発明の照明装置の第２実施形態を右半分を切断して示す側面図である。
【図５】第２実施形態の照明装置の斜視図である。
【図６】本発明の照明装置の第３実施形態を示す縦断面図である。
【図７】本発明の照明装置の変形例を示す斜視図である。
【図８】（ａ）は本発明の照明装置のさらに別の変形例を示す平面図、（ｂ）は同照明装置の側面図である。
【発明を実施するための形態】
【０００８】
以下、本発明の実施の形態を図面に基づいて説明する。図１〜３は、本発明の照明装置の第１実施形態を示している。本照明装置は、屋外に立設した円形断面のポール５の上部に設置するものであって、取付け台座２と、取付け台座２に取付けられる照明本体１及び装飾具３とで構成される。
【０００９】
取付け台座２は、アルミの鋳物等で円盤状に形成されており、外周部上面に装飾具取付け座部６を有し、中央部上面に照明本体取付け座部７を有している。装飾具取付け座部６は、図１（ｂ）に示すように、照明本体取付け座部７よりも高くなっており、装飾具３の取付けネジ８が螺入される雌ネジ穴９が、円周等配で４箇所に分散して設けてある。装飾具取付け座部６と照明本体取付け座部７との間には凹部１０が形成され、凹部１０には排水孔１１が設けてある。照明本体取付け座部７には、パッキン保持溝１２が形成してあり、パッキン保持溝１２にリング状のパッキン１３が嵌め込んであり、パッキン１３により照明本体取付け座部７の不陸を調整し、照明本体１をがたつきなく取付けできるようにすると共に、雨水の浸入を防止している。パッキン保持溝１２にも排水孔１４が形成されている。また、照明本体取付け座部７には、パッキン保持溝１２よりも内側に照明本体１の取付けネジ１５が挿通されるネジ挿通孔１６が設けてあり、中央部には照明本体１への配線１７を通すための抜き孔１８が形成してある。抜き孔１８は、図１（ａ）に示すように大径部１８ａと小径部１８ｂとが半分ずつ設けられ、図１（ｂ）に示すように小径部１８ｂ側に中心に向かって下り勾配に傾斜した防水フィン１９を有している。防水フィン１９は、照明本体１への配線１７の結線部に水が掛かるのを防ぐ作用がある。また取付け台座２は、下面側の外周部に脚部２０を有しており、脚部２０と装飾具取付け座部６の外周面間に肩部２１が下向きに設けてあって、脚部２０をポール５内に上方から挿入し、ポール５の上端面を前記肩部２１に突き当てた状態で、側方からのネジ２２でポール５に固定してある。
【００１０】
照明本体１は、ケース内に複数のＬＥＤ４や電源回路が内蔵されたＬＥＤ電球２４と、そのＬＥＤ電球２４に対応するソケット２５とが合体したユニットであり、ＬＥＤ電球２４とソケット２５は何れも防水仕様となっており、ＬＥＤ電球２４とソケット２５との間やソケット２５への配線１７の結線部もシール材等で防水処理されており、照明本体１は全体が完全防水となっている。図１（ｂ）中の符号２６は、ＬＥＤ電球２４とソケット２５の隙間をシールしているシール材である。照明本体１は、取付け台座２の照明本体取付け座部７上に載置し、下方からの取付けネジ１５で固定してある。
【００１１】
装飾具３は、アルミの鋳物で形成したものであり、取付け台座２の装飾具取付け座部６に載置して取付けネジ８で固定されるリング部２７と、リング部２７より起立するフレーム部２８を有している。フレーム部２８は、照明本体１の周りを十字状にクロスして囲んでおり、ＬＥＤ電球２４がむき出しになっている。
【００１２】
本照明装置は、取付け台座２に照明本体１を取付けネジ１５で取付け、次に取付け台座２に装飾具３を取付けネジ８で取付けた後、取付け台座２をポール５に上方から嵌め込んでネジ２２で固定すればよく、照明本体１自体が防水処理されており、照明本体１の周囲に防水処理を施す必要がないため、施工が極めて容易である。また取付け台座２の外周に肩部２１が設けてあるため、ポール５上への取付けも容易である。
【００１３】
図４，５は、本発明の照明装置の第２実施形態を示している。本照明装置は、門柱の上面などの水平な取付け面２９に取付ける場合であり、取付け台座２と照明本体１は第１実施形態と同じものを使用している。取付け台座２は、凹部１０にネジ挿通孔３０を形成し、脚部２０と取付け面２９との間に板状のパッキン３１を挟み、上方からのネジ３２で取付けてある。なおネジ挿通孔３０は、排水孔１１（図１参照）をそのまま利用することができる。
装飾具３は、アルミ鋳物製の装飾具本体３ａと、装飾具本体３ａの内側に嵌めこんだ電球装飾カバー３ｂとを有している。電球装飾カバー３ｂは、乳白色の樹脂で下面が開放した中空の円柱状に形成され、図４に示すように、カバーの蓋部３３は中央部が下方に膨らむように湾曲している。電球装飾カバー３ｂの内面には、蛍光塗料３４が塗布してある。電球装飾カバー３ｂは、取付け台座２の上面より持ち上げた状態で設置されている。
【００１４】
本実施形態によれば、上向きに照射されるＬＥＤ４の光が電球装飾カバー３ｂの蓋部３３の下面で別の方向に反射するため、ＬＥＤ電球２４の光を周囲により広く拡散させることができ、また電球装飾カバー３ｂの内面に蛍光塗料３４が塗布してあることで、電球装飾カバー３ｂ全体が柔らかく発光する。また、電球装飾カバー３ｂが取付け台座２から持ち上げて設置してあることで通風性が良くなり、照明装置の発熱を抑えると共にＬＥＤ電球２４の寿命低下を防止できる。また、従来の屋外の照明装置では、電球をカバーする照明グローブ内に虫が侵入して溜まる不都合があったが、本照明装置は照明本体１自体が防水されており、電球装飾カバー３ｂは下部が開放し且つ持ち上げて設置してあるため、かかる不都合を防止できる。
【００１５】
図６は、本発明の照明装置の第３実施形態を示している。本照明装置は、門柱の前面などの壁面３５に取付ける場合であり、取付け台座２と照明本体１と装飾具３は、第１実施形態と同じものを使用している。取付け台座２は、凹部１０にネジ挿通孔３０を形成し、脚部２０と壁面３５との間に板状のパッキン３１を挟み、正面からのネジ３２で取付けてある。ネジ挿通孔３０は、排水孔１１（図１参照）をそのまま利用することができる。取付け台座２は、防水フィン１９が中心より上側にくるように配置してある。
【００１６】
図７は、本発明の照明装置の変形例を示しており、これらは取付け台座２と照明本体１を第１〜３実施形態のものと共通とし、装飾具３のみを取替えたものである。図７（ａ）のものは、装飾具３が横格子状のデザインの囲み部３６を有し、上面に傘部３７が設けてある。図７（ｂ）の装飾具３は、リング部２７上に照明本体１を囲むフレーム部２８が２本平行に起立して設けられ、上面に傘部３７を有している。図７（ｃ）の装飾具は、リング部２７上に照明本体１を囲むフレーム部２８が十字状にクロスして起立して設けられ、上面に傘部３７を有している。
また装飾具３は、必ずしも照明本体１を覆うものでなくてもよい。図８に示す例では、装飾具３はリング部２７上に複数の爪３８が照明本体１の周囲に放射状に設けられた五徳のようなデザインとなっている。
【００１７】
以上に述べたように本発明の照明装置は、照明本体１に防水処理されたユニットを用いており、照明本体１の周りに防水処理が不要なことから、施工が容易に行えるばかりでなく、取付け台座２と照明本体１を共通化し、装飾具３を様々なデザインのものに付け替えるだけで、多様なデザインの照明装置を低コストで提供できる利点がある。また、同一の取付け台座２を用いながら、ポール５上への取付け、水平な取付け面２９への取付け、壁面３５への取付けの何れにも対応できる。もちろん傾斜した面に取付けることもできる。照明本体１にＬＥＤ電球２４を使用したので、電球の寿命が約１０年と非常に長いため電球を交換する煩わしさがなく、消費電力も少ない。
【００１８】
本発明は、以上に述べた実施形態に限定されない。取付け台座２と装飾具３の形態は適宜変更することができ、例えば取付け台座２は正方形の板状であってもよい。また取付け台座２は、ポール５や壁面３５等に取付けるための雌ネジ穴やネジ挿通孔を予め何通りか明けてあってもよいが、設置態様に応じてそれらの取付孔を明けるようにしてもよい。照明本体１全体が防水処理されたユニットであるため、取付け台座２と照明本体１間のパッキン１３や排水孔１１，１４、防水フィン１９は、必ずしも必要ではない。照明本体１の光源は、ＬＥＤに限らず、有機ＥＬや無機ＥＬ等であってもよい。本発明の照明装置は、屋外の他、浴室等に用いることもできる。
【符号の説明】
【００１９】
１  照明本体
２  取付け台座
３  装飾具
４  ＬＥＤ（光源）
【図１】
2011222282.tif 000003
【図２】
2011222282.tif 000004
【図３】
2011222282.tif 000005
【図４】
2011222282.tif 000006
【図５】
2011222282.tif 000007
【図６】
2011222282.tif 000008
【図８】
2011222282.tif 000009
【図７】
2011222282.tif 000010